(57)【要約】【課題】ダイヤルイン着信の受信番号の変換用テーブルを設定する必要がなくなり、その設定にかかる時間を削減することができる電話交換機システムを提供する。【解決手段】電話交換機システムは、通信回線及び複数の内線電話機間を接続する接続インタフェースと、ダイヤルイン着信の受信番号とその変換後番号とを関連付けて登録するダイヤルイン変換テーブル、及び内線電話機とその内線番号とを関連付けて登録する内線番号テーブルを有するデータベース部と、接続インタフェース及びデータベース部に接続される主制御部とを有する。主制御部は、通信回線からのダイヤルイン着信時に、その受信番号と一致する内線番号を内線番号テーブルから検索し、受信番号と一致する内線番号がある場合、その内線番号に対応する内線電話機を鳴動させる。【選択図】図１
2011205163.tif 000002
【特許請求の範囲】
【請求項１】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有し、
前記主制御部は、前記通信回線からのダイヤルイン着信時に、その受信番号と一致する内線番号を前記内線番号テーブルから検索し、前記受信番号と一致する内線番号がある場合、その内線番号に対応する内線電話機を鳴動させることを特徴とする電話交換機システム。
【請求項２】
前記主制御部は、前記ダイヤルイン着信時に前記ダイヤルイン変換テーブルを使用するか、前記内線番号テーブルを使用するかを予め設定し、前記内線番号テーブルを使用する場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする請求項１記載の電話交換機システム。
【請求項３】
前記主制御部は、前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させることを特徴とする請求項１記載の電話交換機システム。
【請求項４】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信方法であって、
前記主制御部が、前記通信回線からのダイヤルイン着信時に、その受信番号と一致する内線番号を前記内線番号テーブルから検索し、前記受信番号と一致する内線番号がある場合、その内線番号に対応する内線電話機を鳴動させることを特徴とする電話交換機システムのダイヤルイン着信方法。
【請求項５】
前記主制御部が、前記ダイヤルイン着信時に前記ダイヤルイン変換テーブルを使用するか、前記内線番号テーブルを使用するかを予め設定し、前記内線番号テーブルを使用する場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする請求項４記載の電話交換機システムのダイヤルイン着信方法。
【請求項６】
前記主制御部が、前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させることを特徴とする請求項４記載の電話交換機システムのダイヤルイン着信方法。
【請求項７】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信用プログラムであって、
前記主制御部を構成するコンピュータに、
前記通信回線からのダイヤルイン着信時に、その受信番号と一致する内線番号を前記内線番号テーブルから検索し、前記受信番号と一致する内線番号がある場合、その内線番号に対応する内線電話機を鳴動させる鳴動処理を実行させることを特徴とする電話交換機システムのダイヤルイン着信用プログラム。
【請求項８】
前記コンピュータに、
前記ダイヤルイン着信時に前記ダイヤルイン変換テーブルを使用するか、前記内線番号テーブルを使用するかを予め設定し、前記内線番号テーブルを使用する場合、前記ダイヤルイン着信時に、その受信番号と一致する内線番号を前記内線番号テーブルから検索し、前記受信番号と一致する内線番号がある場合、その内線番号に対応する内線電話機を鳴動させる鳴動処理を実行させることを特徴とする請求項７記載の電話交換機システムのダイヤルイン着信用プログラム。
【請求項９】
前記コンピュータに、
前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させる鳴動処理を実行させることを特徴とする請求項７記載の電話交換機システムのダイヤルイン着信用プログラム。
【発明の詳細な説明】
【技術分野】
【０００１】
本発明は、電話交換機システム、そのダイヤルイン着信方法、及びそのダイヤルイン着信用プログラムに関する。
【背景技術】
【０００２】
電話交換機システムにおいてダイヤルイン着信を受けた場合、局から受信した番号をシステムで使用する番号に変換することで、特定の電話機に対して着信をさせている。そのため、システムではダイヤルイン着信の受信番号と変換後番号のテーブルを保持しており、それを検索して受信番号の変換処理を行っている。
【０００３】
これに関連して、特許文献１には、ダイヤルイン着信時にダイヤルイン内線対応テーブルを参照し、発信元電話番号及び外線電話番号の対が登録されていれば、その対に対応する内線番号の内線電話機を呼び出し、登録されていなければ、内線グループテーブルを参照してその外線電話番号に対応する内線グループに属する全ての内線電話機を呼び出す構内電話交換機を有するシステムが記載されている。
【０００４】
また、特許文献２には、ダイヤルイン着信時にダイヤルイン番号対応接続先内線番号変換テーブルを参照して、受信したダイヤルイン番号に対応する内線番号に変換すると共に、受信した発信者番号が発信者番号対応内線番号登録テーブルに登録されている場合は、受信した発信者番号に対応する内線番号に設定されているポートに接続された端末に着信させ、登録されていない場合は、受信したダイヤルイン番号に対応する内線番号に設定されているポートに接続された端末に着信させる構内交換機システムが記載されている。
【先行技術文献】
【特許文献】
【０００５】
【特許文献１】特開２００３−０８７８３５号公報
【特許文献２】特開平１０−１７４１３２号公報
【発明の概要】
【発明が解決しようとする課題】
【０００６】
しかしながら、上述した関連技術では、回線契約数が多いなどの運用上の事情により、ダイヤルイン着信の受信番号の変換用テーブルを大量に設定する必要が生じる場合があった。その場合には、その設定には膨大な時間がかかることになる。
【０００７】
ここで、電話交換機システムにおいて、ダイヤルイン着信の受信番号と変換後番号を登録するためのテーブル数には限りがある。このため、システムで保持できるテーブル数よりも多く登録したい場合があったとしても、それを実現することは困難であった。また、テーブル数が足りた場合でも、その設定には膨大な時間がかかっていた。
【０００８】
本発明の目的は、上記課題を解決し、ダイヤルイン着信の受信番号の変換用テーブルを設定する必要がなくなり、その設定にかかる時間を削減することができる電話交換機システム、そのダイヤルイン着信方法、及びそのダイヤルイン着信用プログラムを提供することにある。
【課題を解決するための手段】
【０００９】
上記目的を達成するため、本発明に係る電話交換機システムは、通信回線及び複数の内線電話機間を接続する接続インタフェースと、前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、前記接続インタフェース及び前記データベース部に接続される主制御部とを有し、前記主制御部は、前記通信回線からのダイヤルイン着信時に、その受信番号と一致する内線番号を前記内線番号テーブルから検索し、前記受信番号と一致する内線番号がある場合、その内線番号に対応する内線電話機を鳴動させることを特徴とする。
【００１０】
本発明に係る電話交換機システムのダイヤルイン着信方法は、通信回線及び複数の内線電話機間を接続する接続インタフェースと、前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、前記接続インタフェース及び前記データベース部に接続される主制御部とを有する電話交換機システムのダイヤルイン着信方法であって、前記主制御部が、前記通信回線からのダイヤルイン着信時に、その受信番号と一致する内線番号を前記内線番号テーブルから検索し、前記受信番号と一致する内線番号がある場合、その内線番号に対応する内線電話機を鳴動させることを特徴とする。
【００１１】
本発明に係る電話交換機システムのダイヤルイン着信用プログラムは、通信回線及び複数の内線電話機間を接続する接続インタフェースと、前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、前記接続インタフェース及び前記データベース部に接続される主制御部とを有する電話交換機システムのダイヤルイン着信用プログラムであって、前記主制御部を構成するコンピュータに、前記通信回線からのダイヤルイン着信時に、その受信番号と一致する内線番号を前記内線番号テーブルから検索し、前記受信番号と一致する内線番号がある場合、その内線番号に対応する内線電話機を鳴動させる鳴動処理を実行させることを特徴とする。
【発明の効果】
【００１２】
本発明によれば、ダイヤルイン着信の受信番号を変換しないで着信先を決定させることができるため、ダイヤルイン着信の受信番号の変換用テーブルを設定する必要がなくなり、その設定にかかる時間を削減することができる。
【図面の簡単な説明】
【００１３】
【図１】本発明の第１の実施形態に係る電話交換機システムの全体構成を示す概略ブロック図である。
【図２】図１のダイヤルイン変換テーブルの具体例を示す図である。
【図３】図１の内線番号テーブルの具体例を示す図である。
【図４】図１の電話交換機システムによるダイヤルイン着信時の動作を示す概略フローチャートである。
【図５】本発明の第２の実施形態に係る電話交換機システムによるダイヤルイン着信時の動作を示す概略フローチャートである。
【図６】本発明の第３の実施形態に係る電話交換機システムによるダイヤルイン着信時の動作を示す概略フローチャートである。
【発明を実施するための形態】
【００１４】
次に、本発明に係る電話交換機システム、そのダイヤルイン着信方法、及びそのダイヤルイン着信用プログラムの実施の形態について、図面を参照して詳細に説明する。
【００１５】
（第１の実施形態）
図１は、本実施形態に係る電話交換機システムの回路構成の要部を表したものである。
【００１６】
図１に示す電話交換機システム２は、アナログ回線、ＩＳＤＮ（Integrated Services Digital Network）回線、ＩＰ（Internet Protocol）回線などの通信網からなる通信回線１及び複数の内線電話機３間を接続する接続インタフェース２１と、主制御部２２と、データベース部２３とを有する。主制御部２２は、接続インタフェース２１及びデータベース部２３に接続される。
【００１７】
接続インタフェース２１は、通信回線１側に設けた局線（外線）ポートと、複数の内線電話機３側に設けた複数の内線ポートとを介して、通信回線１と複数の内線電話機３または内線電話機３同士を接続するためのものである。
【００１８】
主制御部２２は、例えばプログラム制御で動作するＣＰＵ（Central Processing Unit）及びその制御プログラムや各種制御データ等を格納するメモリ（ＲＯＭ（Read Only Memory）、ＲＡＭ（Random Access Memory））を有するコンピュータ（コントローラ）で構成される。この構成により、主制御部２２は、通信回線１からの着信時に、接続インタフェース２１を介して受信した番号を取得し、データベース部２３の各種設定データに基づいて受信した番号を解析し、接続インタフェース２１を介して内線電話機３の鳴動処理を行う。この処理は、例えば予めメモリ（非図示）に設定された制御プログラムを実行することにより行われる。
【００１９】
データベース部２３は、メモリ等の記憶媒体を有し、電話機交換機システム２を動作させるための各種設定データを保持している。各種設定データには、ダイヤルイン着信の受信番号とその変換後番号を互いに関連付けて登録するダイヤルイン変換テーブル２３１と、内線電話機３の内線番号と内線電話機３が接続される接続インタフェース２１の内線ポートを特定する内線ポート番号とを互いに関連付けて登録する内線番号テーブル２３２とが含まれる。
【００２０】
図２は、ダイヤルイン変換テーブル２３１の具体例を示す。この例に示すダイヤルイン変換テーブル２３１には、テーブル番号毎にダイヤルイン着信の受信番号とその変換後番号とが互いに関連付けて登録されている。
【００２１】
図３は、内線番号テーブル２３２の具体例を示す。この例に示す内線番号テーブル２３２には、内線電話機３の内線番号とその内線ポート番号とが互いに関連付けて登録されている。
【００２２】
図４は、通信回線１からダイヤルイン着信を受信したときの処理の流れ、すなわちダイヤルイン着信方法を表したものである。この処理は、主制御部２２がメモリ（非図示）に予め設定された制御プログラム（ダイヤルイン着信用プログラム）を実行することにより行われる。
【００２３】
本実施形態では、電話交換機システム２のデータベース部２３で、外線ごとにダイヤルイン着信を受信した際の処理方法について、ダイヤルイン交換テーブル２３１を使用するか、内線番号テーブル２３２を使用するかを予め選択して設定することができるものとする。
【００２４】
まず、主制御部２２では、外線からダイヤルイン着信を受信した際、その処理の方法をデータベース部２３の設定から確認する（ステップ４１）。
【００２５】
その結果、ダイヤルイン変換テーブル２３１を使用する場合（ステップ４１：Ｎ）、主制御部２２は、データベース部２３に設定されてあるダイヤルイン変換テーブル２３１内の受信番号から着信時に受信した受信番号を検索する（ステップ４２）。その結果、受信番号が見つかった場合（ステップ４２：Ｙ）、主制御部２２は、テーブル（ダイヤルイン変換テーブル２３１及び内線番号テーブル２３２）の設定に従い、検索された受信番号に対応する変換後番号と一致する内線番号に応じた内線ポート番号の内線ポートに接続された特定の内線電話機３を呼び出す（ステップ４３）。一方、受信番号がダイヤルイン変換テーブル２３１内に見つからなかった場合（ステップ４２：Ｎ）、主制御部２２は、発信した相手にビジートーンを聴取させる（ステップ４４）。
【００２６】
この動作を図２及び図３の例で説明すると、例えばダイヤルイン着信の受信番号が「７００１」であった場合、主制御部２２は、図２に示すダイヤルイン変換テーブル２３１を参照し、受信番号「７００１」を変換後番号「１００１」に変換する。次に、主制御部２２は、図３に示す内線番号テーブル２３２を参照して、変換した変換後番号「１００１」と一致する内線番号「１００１」に対応する内線ポート番号「１」を得て、内線ポート番号「１」の内線ポートに接続された内線電話機３に着信させる。
【００２７】
一方、着信時の処理方法が内線番号処理の場合（ステップ４１：Ｙ）、主制御部２２は、受信した番号をデータベース部２３が持つ内線番号テーブル２３２の内線番号のリストの中から一致するものを検索する（ステップ４５）。その結果、受信番号と一致する内線番号が見つかった場合（ステップ４５：Ｙ）、主制御部２２は、受信番号と一致する内線番号に対応する内線ポート番号の内線ポートに接続された内線電話機３に対して呼び出し処理を行う（ステップ４６）。一方、一致する内線番号が見つからなかった場合（ステップ４５：Ｎ）、主制御部２２は、発信した相手にビジートーンを聴取させる（ステップ４４）。
【００２８】
この動作を図３の例で説明すると、例えばダイヤルイン着信の受信番号が「１００２」であった場合、図３に示す内線番号テーブル２３２を参照して、受信番号「１００２」と一致する内線番号「１００２」に対応する内線ポート番号「２」を得て、内線ポート番号「２」の内線ポートに接続された内線電話機３に着信させる。
【００２９】
このようにして、通信回線１からダイヤルイン着信があった場合、主制御部２２は、受信した番号を、データベース部２３に登録されている内線番号テーブル２３２の内線番号の一覧から探索し、受信番号と一致する内線番号が見つかった場合、その内線番号に対応する内線電話機３に着信鳴動させるため、内線電話機３を使用しているユーザは、特に何も意識することがなく、ダイヤルイン着信に応答することができる。
【００３０】
従って、本実施形態によれば、ダイヤルイン着信の受信番号を変換しないで着信先を決定させることにより、受信番号の変換テーブルを設定する必要がなくなり、設定にかかる時間、工数を大幅に削減することができる。
【００３１】
すなわち、電話交換機システムの設置工事者は、ダイヤルイン受信番号と変換後の番号を持つ変換用のテーブルデータを設定することなく、ダイヤルイン着信を特定の内線電話機に着信させることができる。これは、ダイヤルイン受信番号と運用している内線番号が一致する場合には非常に有効であり、設置工事にかかる時間を大幅に短縮することができる。また、内線電話機の利用者は今までのダイヤルイン着信と変わったところはないため、意識することなく着信に対して応答することができる。
【００３２】
また、本実施形態の電話機交換機システムを用いることにより、ダイヤルイン着信の受信番号を透過させる機能を有するボタン電話装置を構築することができる。
【００３３】
（第２の実施形態）
次に、本発明の第２の実施形態について説明する。本実施形態に係る電話交換機システムは、第１の実施形態と同様の構成であるが、図４に示すダイヤルイン着信時の動作が相違している。以下、第１の実施形態との相違点のみ説明する。
【００３４】
図５は、本実施形態に係る電話交換機システムによるダイヤルイン着信時の動作を説明するものである。この処理は、主制御部２２がメモリ（非図示）に予め設定された制御プログラム（ダイヤルイン着信用プログラム）を実行することにより行われる。
【００３５】
まず、主制御部２２は、外線からダイヤルイン着信を受信した際、データベース部２３に設定されてあるダイヤルイン変換テーブル２３１内の受信番号から着信時に受信した受信番号を検索する（ステップ５１）。
【００３６】
その結果、受信番号が見つかった場合（ステップ５１：Ｙ）、主制御部２２は、テーブル（ダイヤルイン変換テーブル２３１及び内線番号テーブル２３２）の設定に従い、検索された受信番号に対応する変換後番号と一致する内線番号に応じた内線ポート番号の内線ポートに接続された特定の内線電話機３を呼び出す（ステップ５２）。
【００３７】
一方、受信番号がダイヤルイン変換テーブル２３１内に見つからなかった場合（ステップ５１：Ｎ）、主制御部２２は、受信した番号をデータベース部２３が持つ内線番号テーブル２３２の内線番号のリストの中から一致するものを検索する（ステップ５３）。その結果、受信番号と一致する内線番号が見つかった場合（ステップ５３：Ｙ）、主制御部２２は、受信番号と一致する内線番号に対応する内線ポート番号の内線ポートに接続された内線電話機３に対して呼び出し処理を行う（ステップ５４）。一方、受信番号と一致する内線番号が見つからなかった場合（ステップ５３：Ｎ）、主制御部２２は、発信した相手にビジートーンを聴取させる（ステップ５５）。
【００３８】
この動作を図２及び図３の例で説明すると、例えばダイヤルイン着信の受信番号が「７００１」であった場合、主制御部２２は、図２に示すダイヤルイン変換テーブル２３１を参照し、受信番号「７００１」を変換後番号「１００１」に変換する。次に、主制御部２２は、図３に示す内線番号テーブル２３２を参照して、変換した変換後番号「１００１」と一致する内線番号「１００１」に対応する内線ポート番号「１」を得て、内線ポート番号「１」の内線ポートに接続された内線電話機３に着信させる。
【００３９】
一方、ダイヤルイン着信の受信番号が「１００２」であった場合、主制御部２２は、図２に示すダイヤルイン変換テーブル２３１を参照しても受信番号「１００２」が無いため、図３に示す内線番号テーブル２３２を参照して、受信番号「１００２」と一致する内線番号「１００２」に対応する内線ポート番号「２」を得て、内線ポート番号「２」の内線ポートに接続された内線電話機３に着信させる。
【００４０】
従って、本実施形態によれば、通信回線１からダイヤルイン着信があった場合、受信番号がダイヤルイン変換テーブル２３１に無ければ、受信番号と一致する内線番号を内線番号テーブル２３２の一覧から探索し、受信番号と一致する内線番号が見つかった場合、内線番号に対応する内線電話機３に着信鳴動させている。この場合も、第１の実施形態と同様に、内線電話機３を使用しているユーザは、特に何も意識することがなく、ダイヤルイン着信に応答することができる。
【００４１】
（第３の実施形態）
次に、本発明の第３の実施形態について説明する。本実施形態に係る電話交換機システムは、第１の実施形態と同様の構成であるが、図４に示すダイヤルイン着信時の動作のうち、ステップ４２の動作が相違している。以下、第１の実施形態との相違点のみ説明する。
【００４２】
図６は、本実施形態に係る電話交換機システムによるダイヤルイン着信時の動作を説明するものである。この処理は、主制御部２２がメモリ（非図示）に予め設定された制御プログラム（ダイヤルイン着信用プログラム）を実行することにより行われる。
【００４３】
図４の例では、ダイヤルイン変換テーブル２３１を使用する場合、受信番号がダイヤルイン変換テーブル２３１内に見つからなかった場合（ステップ４２：Ｎ）、主制御部２２は、発信した相手にビジートーンを聴取させている（ステップ４４）。
【００４４】
これに対し、図６の例では、ダイヤルイン変換テーブル２３１を使用する場合、受信番号がダイヤルイン変換テーブル２３１内に見つからなかった場合（ステップ４２ａ：Ｎ）、内線番号テーブル２３２を使用する場合のステップ４５に移行し、以下、内線番号テーブル２３２を使用する場合と同様の動作を行う。その他の動作は、図４と同様である。
【００４５】
従って、本実施形態では、ユーザの選択によりダイヤルイン変換テーブル２３１を使用する場合でも、受信番号がダイヤルイン変換テーブル２３１に無ければ、受信番号と一致する内線番号を内線番号テーブル２３２の一覧から探索し、見つかった内線番号に対応する内線電話機３に着信鳴動させている。この場合も、第１の実施形態と同様に、内線電話機３を使用しているユーザは、特に何も意識することがなく、ダイヤルイン着信に応答することができる。
【００４６】
なお、上記各実施形態において、ダイヤルイン変換テーブルを設定することなく、ダイヤルイン着信で特定の内線電話機を鳴動させることが可能となったが、受信した番号に対して、番号の削除や付加をすることにより、指定した外線から携帯電話機などに着信を転送することや、システム間接続している他の電話機交換機システムに収容されている内線電話機を鳴動させることも可能である。
【００４７】
また、上記各実施形態に係る電話交換機システム及びそのダイヤルイン着信方法は、ハードウェア、ソフトウェア、又はこれらの組合せにより実現することができる。
【００４８】
例えば、上記各実施形態に係る電話交換機システムは、ハードウェアによっても実現することもできるが、コンピュータを、その電話交換機システムとして機能させるためのプログラム（ダイヤルイン着信用プログラム）をコンピュータがコンピュータ読み取り可能な記録媒体から読み込んで実行することによっても実現することができる。
【００４９】
また、上記各実施形態に係る電話交換機システムのダイヤルイン着信方法は、ハードウェアによっても実現することもできるが、コンピュータに、そのダイヤルイン着信方法を実行させるためのプログラム（ダイヤルイン着信用プログラム）をコンピュータがコンピュータ読み取り可能な記録媒体から読み込んで実行することによっても実現することができる。
【００５０】
また、上述したハードウェア、ソフトウェア構成は特に限定されるものではなく、上述した各構成要素の機能を実現可能であれば、いずれのものでも適用可能である。例えば、上述した各構成要素の機能毎に回路や部品等を独立させて個別に構成したものでも、複数の機能を１つの回路や部品等に組み入れて一体的に構成したものでも、いずれでもよい。
【００５１】
以上、各実施の形態を参照して本願発明を説明したが、本願発明は上記各実施の形態に限定されるものではない。本願発明の構成や詳細には、本願発明のスコープ内で当業者が理解し得る様々な変更をすることができる。
【産業上の利用可能性】
【００５２】
本発明は、ＰＢＸ（Private Branch eXchange：構内交換機）やキーテレホンシステム（ボタン電話装置）などの電話交換機システム、そのダイヤルイン着信方法、及びそのダイヤルイン着信用プログラムなどの用途に利用可能である。
【符号の説明】
【００５３】
１  通信回線
２  電話交換機システム
３  内線電話機
２１  接続インタフェース
２２  主制御部
２３  データベース部
２３１  ダイヤルイン変換テーブル
２３２  内線電話テーブル
【図１】
2011205163.tif 000003
【図２】
2011205163.tif 000004
【図３】
2011205163.tif 000005
【図４】
2011205163.tif 000006
【図５】
2011205163.tif 000007
【図６】
2011205163.tif 000008
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有し、
前記主制御部は、前記通信回線からのダイヤルイン着信時に、その受信番号と一致する内線番号を前記内線番号テーブルから検索し、前記受信番号と一致する内線番号がある場合、その内線番号に対応する内線電話機を鳴動させることを特徴とする電話交換機システム。
【請求項２】
前記主制御部は、前記ダイヤルイン着信時に前記ダイヤルイン変換テーブルを使用するか、前記内線番号テーブルを使用するかを予め設定し、前記内線番号テーブルを使用する場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする請求項１記載の電話交換機システム。
【請求項３】
前記主制御部は、前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させることを特徴とする請求項１記載の電話交換機システム。
【請求項４】
前記主制御部は、前記ダイヤルイン着信時に前記ダイヤルイン変換テーブルを使用するか、前記内線番号テーブルを使用するかを予め設定し、前記ダイヤルイン変換テーブルを使用する場合、前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させることを特徴とする請求項１記載の電話交換機システム。
【請求項５】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信方法であって、
前記主制御部が、前記通信回線からのダイヤルイン着信時に、その受信番号と一致する内線番号を前記内線番号テーブルから検索し、前記受信番号と一致する内線番号がある場合、その内線番号に対応する内線電話機を鳴動させることを特徴とする電話交換機システムのダイヤルイン着信方法。
【請求項６】
前記主制御部が、前記ダイヤルイン着信時に前記ダイヤルイン変換テーブルを使用するか、前記内線番号テーブルを使用するかを予め設定し、前記内線番号テーブルを使用する場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする請求項５記載の電話交換機システムのダイヤルイン着信方法。
【請求項７】
前記主制御部が、前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させることを特徴とする請求項５記載の電話交換機システムのダイヤルイン着信方法。
【請求項８】
前記主制御部が、前記ダイヤルイン着信時に前記ダイヤルイン変換テーブルを使用するか、前記内線番号テーブルを使用するかを予め設定し、前記ダイヤルイン変換テーブルを使用する場合、前記ダイヤルイン着信時に、その受信番号と一致する変換後番号を前記ダイヤルイン変換テーブルから検索し、前記受信番号と一致する変換後番号がない場合、その受信番号と一致する内線番号を前記内線番号テーブルから検索し、前記受信番号と一致する内線番号がある場合、その内線番号に対応する内線電話機を鳴動させることを特徴とする請求項５記載の電話交換機システムのダイヤルイン着信方法。
【請求項９】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信用プログラムであって、
前記主制御部を構成するコンピュータに、
前記通信回線からのダイヤルイン着信時に、その受信番号と一致する内線番号を前記内線番号テーブルから検索し、前記受信番号と一致する内線番号がある場合、その内線番号に対応する内線電話機を鳴動させる鳴動処理を実行させることを特徴とする電話交換機システムのダイヤルイン着信用プログラム。
【請求項１０】
請求項１から４のいずれか１項記載の電話交換機システムと、
前記電話交換機システムに接続される複数の内線電話機とを有することを特徴とする電話システム。
【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有し、
前記主制御部は、前記ダイヤルイン着信時に前記ダイヤルイン変換テーブルを使用するか、前記内線番号テーブルを使用するかを予め設定し、前記内線番号テーブルを使用することが予め設定されている場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする電話交換機システム。
【請求項２】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有し、
前記主制御部は、前記ダイヤルイン着信時に前記ダイヤルイン変換テーブルを使用するか、前記内線番号テーブルを使用するかを予め設定し、前記ダイヤルイン変換テーブルを使用することが予め設定されている場合、前記ダイヤルイン着信時に、その受信番号に対応する変換後番号を前記ダイヤルイン変換テーブルから検索し、前記受信番号に対応する変換後番号がない場合、その受信番号と一致する内線番号を前記内線番号テーブルから検索し、前記受信番号と一致する内線番号がある場合、その内線番号に対応する内線電話機を鳴動させることを特徴とする電話交換機システム。
【請求項３】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信方法であって、
前記主制御部が、前記ダイヤルイン着信時に前記ダイヤルイン変換テーブルを使用するか、前記内線番号テーブルを使用するかを予め設定し、前記内線番号テーブルを使用することが予め設定されている場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする電話交換機システムのダイヤルイン着信方法。
【請求項４】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信方法であって、
前記主制御部が、前記ダイヤルイン着信時に前記ダイヤルイン変換テーブルを使用するか、前記内線番号テーブルを使用するかを予め設定し、前記ダイヤルイン変換テーブルを使用することが予め設定されている場合、前記ダイヤルイン着信時に、その受信番号に対応する変換後番号を前記ダイヤルイン変換テーブルから検索し、前記受信番号に対応する変換後番号がない場合、その受信番号と一致する内線番号を前記内線番号テーブルから検索し、前記受信番号と一致する内線番号がある場合、その内線番号に対応する内線電話機を鳴動させることを特徴とする電話交換機システムのダイヤルイン着信方法。
【請求項５】
通信回線及び複数の内線電話機間を接続する接続インタフェースと、
前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、
前記接続インタフェース及び前記データベース部に接続される主制御部とを有する電話交換機システムのダイヤルイン着信用プログラムであって、
前記主制御部を構成するコンピュータに、
前記ダイヤルイン着信時に前記ダイヤルイン変換テーブルを使用するか、前記内線番号テーブルを使用するかを予め設定し、前記内線番号テーブルを使用することが予め設定されている場合、前記通信回線からのダイヤルイン着信時に、その受信番号と一致する内線番号を前記内線番号テーブルから検索し、前記受信番号と一致する内線番号がある場合、その内線番号に対応する内線電話機を鳴動させる鳴動処理を実行させることを特徴とする電話交換機システムのダイヤルイン着信用プログラム。
【請求項６】
請求項１または２に記載の電話交換機システムと、
前記電話交換機システムに接続される複数の内線電話機とを有することを特徴とする電話システム。
【手続補正２】
【補正対象書類名】明細書
【補正対象項目名】０００９
【補正方法】変更
【補正の内容】
【０００９】
上記目的を達成するため、本発明に係る電話交換機システムは、通信回線及び複数の内線電話機間を接続する接続インタフェースと、前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、前記接続インタフェース及び前記データベース部に接続される主制御部とを有し、前記主制御部は、前記ダイヤルイン着信時に前記ダイヤルイン変換テーブルを使用するか、前記内線番号テーブルを使用するかを予め設定し、前記内線番号テーブルを使用することが予め設定されている場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする。
【手続補正３】
【補正対象書類名】明細書
【補正対象項目名】００１０
【補正方法】変更
【補正の内容】
【００１０】
本発明に係る電話交換機システムのダイヤルイン着信方法は、通信回線及び複数の内線電話機間を接続する接続インタフェースと、前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、前記接続インタフェース及び前記データベース部に接続される主制御部とを有する電話交換機システムのダイヤルイン着信方法であって、前記主制御部が、前記ダイヤルイン着信時に前記ダイヤルイン変換テーブルを使用するか、前記内線番号テーブルを使用するかを予め設定し、前記内線番号テーブルを使用することが予め設定されている場合、前記ダイヤルイン着信時に、その受信番号と一致する内線番号を前記内線番号テーブルから検索し、前記受信番号と一致する内線番号がある場合、その内線番号に対応する内線電話機を鳴動させることを特徴とする。
【手続補正４】
【補正対象書類名】明細書
【補正対象項目名】００１１
【補正方法】変更
【補正の内容】
【００１１】
本発明に係る電話交換機システムのダイヤルイン着信用プログラムは、通信回線及び複数の内線電話機間を接続する接続インタフェースと、前記通信回線からのダイヤルイン着信の受信番号とその変換後番号とを関連付けて登録するダイヤルイン変換テーブル、及び前記内線電話機とその内線番号とを関連付けて登録する内線番号テーブルを有するデータベース部と、前記接続インタフェース及び前記データベース部に接続される主制御部とを有する電話交換機システムのダイヤルイン着信用プログラムであって、前記主制御部を構成するコンピュータに、前記ダイヤルイン着信時に前記ダイヤルイン変換テーブルを使用するか、前記内線番号テーブルを使用するかを予め設定し、前記内線番号テーブルを使用することが予め設定されている場合、前記通信回線からのダイヤルイン着信時に、その受信番号と一致する内線番号を前記内線番号テーブルから検索し、前記受信番号と一致する内線番号がある場合、その内線番号に対応する内線電話機を鳴動させる鳴動処理を実行させることを特徴とする。